(57)【要約】      （修正有）【課題】必要最少の外力付加回数によって振り子体を動作させて効率良く電力を得ること。【解決手段】振り子体１の上面部１ｃに対応すべく位置決めされたコイルバネ３の一端部３ａが筐体２内の上部下面２ａに固着され、且つコイルバネ３の他端部３ｂが振り子体１の上面部１ｃに固着され、且つ該振り子体１の一方側１ａが、前記コイルバネ３を縮む方向に付勢力を付加するように該コイルバネ３を引張状態とすべく筐体２内の上部下面２ａに重力の影響を受けるべく懸吊されてなり、しかも前記振り子体１の他方側１ｂの下面部１ｄに対応すべく位置決めされた他方側のコイルバネ４の一端部４Ａが振り子体１の他方側１ｂの下面部１ｄに固着されると共に、他方側のコイルバネ４の他端部４ｂが筐体２内の他方側の下部上面２ｂに固着されることなく圧縮弾発可能な自由状態で設けられてなり、上方及び／又は下方へと加速させるための圧縮空気噴射口７が設けられた構成。【選択図】図１
2006009573.tif 000002
【特許請求の範囲】
【請求項１】
始動時に所定の外力によって往復動可能で、且つ電力発生用動力源として用いられる振り子体（１）と、該振り子体（１）の一方側（１ａ）と他方側（１ｂ）を上下方向に往復動自在に該振り子体（１）を収納する筐体（２）と、該筐体（２）内に収納され、且つ前記振り子体（１）の一方側（１ａ）の上面部（１ｃ）と他方側（１ｂ）の下面部（１ｄ）の夫々に対応すべく位置決めされた一対のコイルバネ（３），（４）とを有し、しかも該一対のコイルバネ（３），（４）を介して振り子体（１）が一方側（１ａ）と他方側（１ｂ）を上下方向に往復動することで該振り子体（１）に設けられた往復動部材（５）の往復動を介して所定の電力を発生する発電機（６）とを備えた発電機等の電力発生用動力源の構造において、前記振り子体（１）の一方側（１ａ）の上面部（１ｃ）に対応すべく位置決めされた一方側のコイルバネ（３）の一端部（３ａ）が筐体（２）内の一方側の上部下面（２ａ）に固着され、且つ一方側のコイルバネ（３）の他端部（３ｂ）が振り子体（１）の一方側（１ａ）の上面部（１ｃ）に固着されてなり、且つ該振り子体（１）の一方側（１ａ）が、前記一方側のコイルバネ（３）を縮む方向に付勢力を付加するように該コイルバネ（３）を引張状態とすべく筐体（２）内の一方側の上部下面（２ａ）に重力の影響を受けるべく自重を介して懸吊されてなり、しかも前記振り子体（１）の他方側（１ｂ）の下面部（１ｄ）に対応すべく位置決めされた他方側のコイルバネ（４）の一端部（４ａ）が振り子体（１）の他方側（１ｂ）の下面部（１ｄ）に固着されると共に、他方側のコイルバネ（４）の他端部（４ｂ）が筐体（２）内の他方側の下部上面（２ｂ）に固着されることなく圧縮弾発可能な自由状態で設けられてなり、しかも前記筐体（２）内の一方側の上部下面（２ａ）又は筐体（２）内の他方側の下部上面（２ｂ）の少なくとも何れか一方には、前記一対のコイルバネ（３），（４）を介して上下方向に往復動する振り子体（１）の一方側（１ａ）又は他方側（１ｂ）の少なくとも何れか一方を上方及び／又は下方へと加速させるための圧縮空気噴射口（７）が設けられた構成にしてなることを特徴とする発電機等の電力発生用動力源の構造。
【請求項２】
前記振り子体（１）又は圧縮空気噴射口（７）の少なくとも何れか一方には、圧縮空気噴射口（７）から発せられる圧縮空気を振り子体（１）の一方側（１ａ）の上面部（１ｃ）又は他方側（１ｂ）の下面部（１ｄ）の少なくとも何れか一方に洩れなく吹き付け可能とする圧縮空気洩れ防止部材（４Ａ）が設けられてなり、しかも該圧縮空気洩れ防止部材（４Ａ）が上下方向に往復動する振り子体（１）との当接時に縮むと共に振り子体（１）の離間時には元の状態に復元する構成にしてなることを特徴とする請求項１記載の発電機等の電力発生用動力源の構造。
【請求項３】
前記振り子体（１）の一方側（１ａ）の上面部（１ｃ）又は筐体（２）内の一方側の上部下面（２ａ）の少なくとも何れか一方には、前記一対のコイルバネ（３），（４）を介して上下方向に往復動する振り子体（１）と当接することで該振り子体（１）を他方側へと付勢させるための他方向側付勢部材（３Ａ）が設けられてなることを特徴とする請求項１又は２記載の発電機等の電力発生用動力源の構造。
【請求項４】
前記筐体（２）内の他方側の下部上面（２ｂ）近傍には、前記一対のコイルバネ（３），（４）を介して上下方向に往復動する振り子体（１）の他方側（１ｂ）の下面部（１ｄ）に設けられた他方側のコイルバネ（４）の他端部（４ｂ）と当接することで振り子体（１）を一方側へと付勢させるための一方向側付勢部材（２Ｂ）が設けられてなることを特徴とする請求項１乃至３の何れかに記載の発電機等の電力発生用動力源の構造。
【請求項５】
前記一方向側付勢部材（２Ｂ）が、スプリングバネ又はピアノ線であることを特徴とする請求項４記載の発電機等の電力発生用動力源の構造。
【請求項６】
前記振り子体（１）の質量が変更可能な構成にしてなることを特徴とする請求項１乃至５の何れかに記載の発電機等の電力発生用動力源の構造。
【請求項７】
前記振り子体（１）の外周部（１ｅ）又は筐体（２）の少なくとも何れか一方には、前記一対のコイルバネ（３），（４）を介して筐体（２）内を上下方向に往復動する振り子体（１）と該筐体（２）との双方の接触箇所に生じる摩擦を低減する摩擦低減部材（１２）が設けられてなることを特徴とする請求項１乃至６の何れかに記載の発電機等の電力発生用動力源の構造。
【請求項８】
前記一対のコイルバネ（３），（４）において、一方側のコイルバネ（３）の伸率が他方側のコイルバネ（４）より大きく、且つ該他方側のコイルバネ（４）の弾性力が一方側のコイルバネ（３）より大きく設定された構成にしてなることを特徴とする請求項１乃至７の何れかに記載の発電機等の電力発生用動力源の構造。
【請求項９】
前記往復動部材（５）にチェーンが用いられ、且つ該チェーンの一端（５ａ）が上下方向に往復動自在な振り子体（１）に固着され、且つ他端側が該振り子体（１）を収納する筐体（２）の一方側の上方に設けられたスプロケット（８）に歯合すると共に該筐体（２）の他方側へと二つ折り状態で設けられてなり、しかも該チェーンの他端（５ｂ）が、振り子体（１）の往復動方向に沿って錘体案内ガイド部（９ａ）を形成するガイド部材（９）の該錘体案内ガイド部（９ａ）に往復動自在に設けられた錘体（１０）に固着されてなることを特徴とする請求項１乃至８の何れかに記載の発電機等の電力発生用動力源の構造。
【請求項１０】
前記ガイド部材（９）に設けられた錘体（１０）には、筐体（２）の他方側へと該錘体（１０）を常時引張状態で付勢する錘体引張部材（１３）が設けられてなることを特徴とする請求項９記載の発電機等の電力発生用動力源の構造。
【請求項１１】
前記ガイド部材（９）又は錘体（１０）の少なくとも何れか一方には、錘体案内ガイド部（９ａ）を往復動する錘体（１０）を介して起電力を発生させる起電力発生装置（１４）が設けられてなることを特徴とする請求項９又は１０記載の発電機等の電力発生用動力源の構造。
【請求項１２】
前記振り子体（１）を収納する筐体（２）が被包体（１６）により被包され、且つ被包体（１６）内の温度が一定に保たれる構成にしてなることを特徴する請求項１乃至１１の何れかに記載の発電機等の電力発生用動力源の構造。
【発明の詳細な説明】
【技術分野】
【０００１】  本発明は、主として発電機等に用いられる電力発生用動力源の構造に関し、更に詳しくは、重力とコイルバネの弾発力を利用して上下方向に往復動する振り子体を用いた発電機等の電力発生用動力源の構造に関するものである。
【背景技術】
【０００２】  従来、この種、重力とコイルバネの弾発力を利用して上下方向に往復動する振り子体を用いた発電機等の電力発生用動力源の構造としては、例えば、特開２００３−３３３７９５号公報所載のものがある。
【特許文献１】特開２００３−３３３７９５号
【０００３】  かかる公報所載の電力発生用動力源の構造は、図×に示すように、筐体（２０）内に収容され、且つ上下方向に直線的に往復動する振り子（２１）と、前記筐体（２０）内に収容されると共に、前記振り子（２１）を上下から付勢する一対の圧縮バネ（２２）と、前記振り子（２１）の直線運動に追従して回転する転動部が入力軸（２３ａ）に設けられた発電機（２３）とを備えたものであり、主として携帯充電器に用いられるものである。【０００４】  よって、上記構成からなる発電機等の電力発生用動力源の構造によれば、歩行等による外力を介して筐体（２０）を上下に振動させると、筐体（２０）内の振り子（１０）が、圧縮バネ（２２）によって上下方向に適切な往復運動を繰り返すことになり、その振り子（１０）の往復運動に追従して回転する転動部が入力軸（２３ａ）に設けられた発電機（２３）を介して所定の電力を発生する構造からなるものである。
【発明の開示】
【発明が解決しようとする課題】
【０００５】  しかしながら、前記従来の発電機等の電力発生用動力源の構造に於いては、下記に示すような問題が生じていた。【０００６】  即ち、上記従来の発電機等の電力発生用動力源の構造は、筐体（２０）内に収容された振り子（２１）を、上下から挟むように付勢する一対の圧縮バネ（２２）を介して上下方向に直線的に往復動させるものであるが、振り子（２１）は常に付勢された一対の圧縮バネ（２２）の間に存在することから、歩行等による外力を介して筐体（２０）を上下に振動させた場合にのみ振り子（２１）を往復動させることが出来るものである。【０００７】  即ち、振り子（２１）の往復動をある程度継続させる場合には常に外力を介して筐体（２０）を上下に振動させ続けなければならない。【０００８】  尚、電力発生用動力源として振り子（２１）を利用する場合においては、必然的に振り子（２１）の往復動数を、振り子（２１）を往復動させるために必要最少の外力付加回数の数倍〜数十倍に達するように動作させることが望ましいのは言う迄もない。【０００９】  しかしながら、上記従来のように、振り子（２１）を上下から挟むように付勢する一対の圧縮バネ（２２）を介して上下方向に直線的に往復動させるという構造では、振り子（２１）の往復動を筐体（２０）への外力付加回数の数倍〜数十倍にまで達するように動作させることは出来ず、精々数回程度往復動すれば両方から付勢された一対の圧縮バネ（２２）を介してその往復動が瞬時に規制されて基の位置で停止することになるばかりか、振り子（２１）の往復動距離（往復ピッチ）さえも稼ぐことが出来ない。【００１０】  よって、振り子（２１）が往復動距離を稼ぐことが出来ない場合には、発電機（２３）の入力軸（２３ａ）を効率よく転動させることに難が生じ、しいては発電効率が悪いものとなる。【００１１】  従って、本来、上記構造からなる発電機等の電力発生用動力源の構造においては、振り子（２１）の往復動を利用して発電機（２３）が所定の電力を発生する構造であることから、必要最少の外力付加回数によって振り子（２１）を最大限の往復動距離（往復ピッチ）で、且つ往復動数で上下方向に動作させなければ効率の良い電力が得られないという問題が生じていた。【００１２】  即ち、本発明は上記問題を解決すべくなされたものであり、必要最少の外力付加回数によって振り子体を最大限の往復動距離で、且つ往復動数で上下方向に動作させて極めて効率良く電力を得ることが可能な発電機等の電力発生用動力源の構造を提供することを課題とするものである。
【課題を解決するための手段】
【００１３】  本発明は上記課題を解決すべくなされたものであり、かかる発電機等の電力発生用動力源の構造は、始動時に所定の外力によって往復動可能で、且つ電力発生用動力源として用いられる振り子体（１）と、該振り子体（１）の一方側（１ａ）と他方側（１ｂ）を上下方向に往復動自在に該振り子体（１）を収納する筐体（２）と、該筐体（２）内に収納され、且つ前記振り子体（１）の一方側（１ａ）の上面部（１ｃ）と他方側（１ｂ）の下面部（１ｄ）の夫々に対応すべく位置決めされた一対のコイルバネ（３），（４）とを有し、しかも該一対のコイルバネ（３），（４）を介して振り子体（１）が一方側（１ａ）と他方側（１ｂ）を上下方向に往復動することで該振り子体（１）に設けられた往復動部材（５）の往復動を介して所定の電力を発生する発電機（６）とを備えた発電機等の電力発生用動力源の構造において、前記振り子体（１）の一方側（１ａ）の上面部（１ｃ）に対応すべく位置決めされた一方側のコイルバネ（３）の一端部（３ａ）が筐体（２）内の一方側の上部下面（２ａ）に固着され、且つ一方側のコイルバネ（３）の他端部（３ｂ）が振り子体（１）の一方側（１ａ）の上面部（１ｃ）に固着されてなり、且つ該振り子体（１）の一方側（１ａ）が、前記一方側のコイルバネ（３）を縮む方向に付勢力を付加するように該コイルバネ（３）を引張状態とすべく筐体（２）内の一方側の上部下面（２ａ）に重力の影響を受けるべく自重を介して懸吊されてなり、しかも前記振り子体（１）の他方側（１ｂ）の下面部（１ｄ）に対応すべく位置決めされた他方側のコイルバネ（４）の一端部（４ａ）が振り子体（１）の他方側（１ｂ）の下面部（１ｄ）に固着されると共に、他方側のコイルバネ（４）の他端部（４ｂ）が筐体（２）内の他方側の下部上面（２ｂ）に固着されることなく圧縮弾発可能な自由状態で設けられてなり、しかも前記筐体（２）内の一方側の上部下面（２ａ）又は筐体（２）内の他方側の下部上面（２ｂ）の少なくとも何れか一方には、前記一対のコイルバネ（３），（４）を介して上下方向に往復動する振り子体（１）の一方側（１ａ）又は他方側（１ｂ）の少なくとも何れか一方を上方及び／又は下方へと加速させるための圧縮空気噴射口（７）が設けられた構成にある。【００１４】  よって、上記発電機等の電力発生用動力源の構造によれば、始動時において、例えば、筐体（２）内の他方側の下部上面（２ｂ）に設けられた圧縮空気噴射口（７）より所定圧の圧縮空気を振り子体（１）の他方側（１ｂ）の下面部（１ｄ）に吹き付けることで、停止時に一方側のコイルバネ（３）を縮む方向に付勢力を付加するように該コイルバネ（３）を引張状態とすべく筐体（２）内の一方側の上部下面（２ａ）に重力の影響を受けるべく自重を介して懸吊された振り子体（１）をコイルバネ（３）の引張力をも手伝って上方へと容易に移動させる事が出来る。【００１５】  この時、振り子体（１）の他方側（１ｂ）の下面部（１ｄ）には、他端部（４ｂ）が筐体（２）内の他方側の下部上面（２ｂ）に固着されることなく圧縮弾発可能な自由状態のコイルバネ（４）の一端部（４ａ）が固着されているにすぎず、よって上記の如くコイルバネ（３）の引張力を介して上方へ移動する振り子体（１）の移動に何ら不都合を生じさせることはない。【００１６】  更に、一旦上方へ所定の距離移動した振り子体（１）は、再度重力の影響を受けると共に自重を介して下方へ移動することになるが、この時振り子体（１）の他方側（１ｂ）の下面部（１ｄ）には、圧縮弾発可能な自由状態のコイルバネ（４）が設けられていることから、該コイルバネ（４）の他端部（４ｂ）が筐体（２）内の他方側の下部上面（２ｂ）に当接することで、該コイルバネ（４）は瞬間的に圧縮弾発状態となって再び振り子体（１）は、他方側のコイルバネ（４）の弾発力と一方側のコイルバネ（３）の引張力を介して再び上方へと極めて容易に移動することになる。【００１７】  更に、上記の如く他方側のコイルバネ（４）の弾発力と一方側のコイルバネ（３）の引張力を介して再び上方へと振り子体（１）が移動する際に、所定のタイミングで筐体（２）内の他方側の下部上面（２ｂ）に設けられた圧縮空気噴射口（７）より所定圧の圧縮空気を振り子体（１）の他方側（１ｂ）の下面部（１ｄ）に吹き付けることにより、前工程より更に高く振り子体（１）を上方へ加速を伴うように移動させることが出来るが、例えば、圧縮空気噴射口（７）が筐体（２）内の一方側の上部下面（２ａ）設けられていてもよく、この場合であっても前記一対のコイルバネ（３），（４）を介して上方に移動してきた振り子体（１）の一方側（１ａ）の上面部（１ｃ）に圧縮空気を振吹き付けることで、重力を用いた自然落下の速度より更に早い速度で振り子体（１）を下方に加速させつつ移動させることが出来るだけでなく振り子体（１）の運動エネルギーそのものを増大させることが出来る。【００１８】  よって、本発明における発電機等の電力発生用動力源の構造によれば、上下方向に往復動可能な振り子体（１）の一方側（１ａ）の上面部（１ｃ）には、縮む方向に付勢力を付加する一方側のコイルバネ（３）が設けられ、且つ該振り子体（１）の他方側（１ｂ）の下面部（１ｄ）には、圧縮弾発可能で、しかも他端部（４ｂ）を筐体（２）内の他方側の下部上面（２ｂ）に固着することなく自由状態とする他方側のコイルバネ（４）の一端部（４ａ）が固着されていることから、始動時に圧縮空気噴射口（７）から振り子体（１）の他方側（１ｂ）の下面部（１ｄ）に圧縮空気を吹き付けるだけで、極めて容易に振り子体（１）を一方側のコイルバネ（３）の引張力を介して上方へと移動させることが出来るだけでなく、上方へと移動した振り子体（１）が重力の影響を受けて下方へと自重を介して移動した場合には、他方側のコイルバネ（４）の弾発力と一方側のコイルバネ（３）の引張力の双方を介して再び振り子体（１）を上方へと極めて容易に移動させることが可能となり、しいては振り子体（１）を圧縮空気噴射口（７）から発せられる圧縮空気を用いての必要最少の外力付加回数の数倍〜数十倍に達するように上下方向に繰り返し連続動作させることが可能となる。【００１９】  従って、必要最少の外力付加回数の数倍〜数十倍に達するように上下方向に繰り返し振り子体（１）を連続動作させることで、該振り子体（１）に設けられた往復動部材（５）の往復動を介して所定の電力を発生する発電機（６）の���力軸（６ａ）を効率よく回転させて発電効率を向上させることが出来るという利点がある。【００２０】  更に、上下方向に移動すると共に上死点に達する振り子体（１）の一方側（１ａ）の上面部（１ｃ）又は下死点に達する他方側（１ｂ）の下面部（１ｄ）の少なくとも何れか一方に、圧縮空気噴射口（７）から圧縮空気を吹き付けることで、重力による振り子体（１）の自然落下の速度より更に早い速度で振り子体（１）を下方に加速を伴うように移動させて振り子体（１）の運動エネルギーを増大させたり、又振り子体（１）の上方への移動速度を加速を伴うように増加させることが可能となり、していは、振り子体（１）を最大限の往復動距離（往復ピッチ）で、しかも所定時間内での往復動数を最大迄向上させることが出来、結果として往復動部材（５）の往復動数及び往復動距離（往復ピッチ）を増加させて極めて効率良く入力軸（６ａ）を回転させ、最大効率の電力を発電機（６）を介して得ることが出来るという利点がある。【００２１】  更に、振り子体（１）又は圧縮空気噴射口（７）の少なくとも何れか一方に、圧縮空気噴射口（７）から発せられる圧縮空気を振り子体（１）の一方側（１ａ）の上面部（１ｃ）又は他方側（１ｂ）の下面部（１ｄ）の少なくとも何れか一方に洩れなく吹き付け可能とする圧縮空気洩れ防止部材（４Ａ）が設けられ、しかも該圧縮空気洩れ防止部材（４Ａ）が上下方向に往復動する振り子体（１）との当接時に縮むと共に振り子体（１）の離間時には元の状態に復元する構成にしてなる場合には、上下方向に移動すると共に上死点に達する振り子体（１）の一方側（１ａ）の上面部（１ｃ）又は下死点に達する他方側（１ｂ）の下面部（１ｄ）と圧縮空気噴射口（７）との直接の当接衝撃を緩衝させつつ洩れなく効率よく圧縮空気を振り子体（１）に吹き付けることが可能となり、しいては圧縮空気の気圧を高く設定する必要なく比較的低い気圧であっても上方又は下方へと移動する振り子体（１）を効率良く加速させることが出来るという利点がある。【００２２】  更に、振り子体（１）の一方側（１ａ）の上面部（１ｃ）又は筐体（２）内の一方側の上部下面（２ａ）の少なくとも何れか一方に、前記一対のコイルバネ（３），（４）を介して上下方向に往復動する振り子体（１）と当接することで該振り子体（１）を他方側へと付勢させるための他方向側付勢部材（３Ａ）が設けられた場合には、上死点に達した振り子体（１）を瞬時に勢いよく、且つ付勢させつつ他方向に押し戻すことで、振り子体（１）の運動エネルギーを爆発的に増大させ、結果として単位時間あたりの往復動部材（５）の往復動数及び往復動距離（往復ピッチ）を増加させて極めて効率良く発電機（６）の入力軸（６ａ）を回転させ、最大効率の電力を得ることが出来るという利点がある。【００２３】  又、筐体（２）内の他方側の下部上面（２ｂ）近傍に、前記一対のコイルバネ（３），（４）を介して上下方向に往復動する振り子体（１）の他方側（１ｂ）の下面部（１ｄ）に設けられた他方側のコイルバネ（４）の他端部（４ｂ）と当接することで振り子体（１）を一方側へと付勢させるための一方向側付勢部材（２Ｂ）が設けられた場合には、下死点に達した振り子体（１）を瞬��に勢いよく、且つ付勢させつつ一方向に押し戻すことで、振り子体（１）の運動エネルギーを爆発的に増大させ、結果として単位時間あたりの往復動部材（５）の往復動数及び往復動距離（往復ピッチ）を増加させて極めて効率良く発電機（６）の入力軸（６ａ）を回転させ、最大効率の電力を得ることが出来るという利点がある。【００２４】  更に、一方向側付勢部材（２Ｂ）が、スプリングバネ又はピアノ線である場合には、振り子体（１）の他方側（１ｂ）の下面部（１ｄ）に設けられた他方側のコイルバネ（４）の他端部（４ｂ）と当接時に適度な反力を容易且つ安価に得ることが出来、しいては製品コストを低減することが出来るという利点がある。【００２５】  更に、振り子体（１）の質量が変更可能な構成にしてなる場合には、例えば、振り子体（１）の上下方向への往復動と共に往復動する往復動部材（５）の数量や該往復動部材（５）の往復動を介して回転する入力軸（６ａ）を有した発電機（６）を複数設けた場合における振り子体（１）の運動バランスを調整して使用条件に適合させることが出来るという利点がある。【００２６】  又、振り子体（１）の外周部（１ｅ）又は筐体（２）の少なくとも何れか一方に、前記一対のコイルバネ（３），（４）を介して筐体（２）内を上下方向に往復動する振り子体（１）と該筐体（２）との双方の接触箇所に生じる摩擦を低減する摩擦低減部材（１２）が設けられてなる場合には、振り子体（１）の運動エネルギーに摩擦ロスを生じさせることなく効率よくスムーズに、しかも金属疲労等の不都合の発生を極力抑えた振り子体（１）を介してスムーズに往復動部材（５）を往復動させて最大効率の電力を発電機（６）から得ることが出来るという利点がある。【００２７】  更に、一対のコイルバネ（３），（４）において、一方側のコイルバネ（３）の伸率が他方側のコイルバネ（４）より大きく、且つ該他方側のコイルバネ（４）の弾性力が一方側のコイルバネ（３）より大きく設定された構成にしてなる場合には、上下方向に移動する振り子体（１）の運動エネルギーを増大させつつ最大限の往復動距離（往復ピッチ）を確保することが出来るという利点がある。【００２８】  更に、往復動部材（５）にチェーンが用いられ、且つ該チェーンの一端（５ａ）が上下方向に往復動自在な振り子体（１）に固着され、且つ他端側が該振り子体（１）を収納する筐体（２）の一方側の上方に設けられたスプロケット（８）に歯合すると共に該筐体（２）の他方側へと二つ折り状態で設けられてなり、しかも該チェーンの他端（５ｂ）が、振り子体（１）の往復動方向に沿って錘体案内ガイド部（９ａ）を形成するガイド部材（９）の該錘体案内ガイド部（９ａ）に往復動自在に設けられた錘体（１０）に固着された場合には、チェーン（５）を二つ折りにすることで筐体（２）の全高をコンパクトにすることが可能となっただけでなく、振り子体（１）の上下動と共に往復動を繰り返すチェーン（５）に弛みを発生させることなく適度なテンションを錘体（１０）を介してチェーン（５）全体に付加することで、スプロケット（８）からチェーン（５）が外れることを確実に防止することが出来るという利点がある。【００２９】  又、ガイド部材（９）に設��られた錘体（１０）に、筐体（２）の他方側へと該錘体（１０）を常時引張状態で付勢する錘体引張部材（１３）が設けられた場合には、前記同様振り子体（１）の上下動と共に往復動を繰り返すチェーン（５）に弛みを発生させることなく良好なテンションを錘体（１０）及び錘体引張部材（１３）の双方を介してチェーン（５）全体に付加することで、スプロケット（８）からチェーン（５）が外れることを確実に防止することが出来るというだけでなく、振り子体（１）が上方へ移動する際における重力を介しての運動ロスを錘体引張部材（１３）の引張力を用いて低減させてよりスムーズに振り子体（１）を上方へと移動させることが出来るという利点がある。【００３０】  更に、ガイド部材（９）又は錘体（１０）の少なくとも何れか一方に、錘体案内ガイド部（９ａ）を往復動する錘体（１０）を介して起電力を発生させる起電力発生装置（１４）が設けられた場合には、スプロケット（８）からチェーン（５）が外れることを確実に防止したり、振り子体（１）が上方へ移動する際における重力を介しての運動ロスを低減させることが出来るガイド部材（９）又は錘体（１０）を利用することで発電機（６）以外に起電力を容易に得ることが可能となり、極めて高効率の電力を低コストで提供することが出来るという利点がある。【００３１】  更に、振り子体（１）を収納する筐体（２）が被包体（１６）により被包され、且つ被包体（１６）内の温度が一定に保たれる場合には、振り子体（１）を上下方向に往復動させるべく用いる一対のコイルバネ（３），（４）に一般的な鋼材を用いると共に、連続的な伸縮動を行わせた場合でも、内部温度を一定に保つことで鋼材の分子構造が熱によって分解されるのを防ぐことが可能となり、しいてはコイルバネ（３），（４）を長期間使用することが可能となり、しいては金属疲労等の劣化によるコイルバネ（３），（４）の交換作業やコストのみならず不要なランニグコストをも削減することが出来るという利点がある。【００３２】  尚、内部温度を１０度以下に保つことで、鋼材の分子構造の分解をより確実に防止することが出来るという利点があるが、本発明の必須の要件でないのは言うまでもない。
【発明の効果】
【００３３】  叙上の様に本発明における発電機等の電力発生用動力源の構造は、振り子体の一方側の上面部に対応すべく位置決めされた一方側のコイルバネの一端部が筐体内の一方側の上部下面に固着され、且つ一方側のコイルバネの他端部が振り子体の一方側の上面部に固着されてなり、且つ該振り子体の一方側が、前記一方側のコイルバネを縮む方向に付勢力を付加するように該コイルバネを引張状態とすべく筐体内の一方側の上部下面に重力の影響を受けるべく自重を介して懸吊され、しかも前記振り子体の他方側の下面部に対応すべく位置決めされた他方側のコイルバネの一端部が振り子体の他方側の下面部に固着されると共に、他方側のコイルバネの他端部が筐体内の他方側の下部上面に固着されることなく圧縮弾発可能な自由状態で設けられてなり、しかも前記筐体内の一方側の上部下面又は筐体内の他方側の下部上面の少なくとも何れか一方には、前記一対のコイルバネを介して上下方向に往復動する振り子体の一方側又は他方側の少なくとも何れか一方を上方及び／又は下方へと加速させるための圧縮空気噴射口が設けられてなることから、始動時において、例えば、筐体内の他方側の下部上面に設けられた圧縮空気噴射口より所定圧の圧縮空気を振り子体の他方側の下面部に吹き付けることで、停止時に一方側のコイルバネを縮む方向に付勢力を付加するように該コイルバネを引張状態とすべく筐体内の一方側の上部下面に重力の影響を受けるべく自重を介して懸吊された振り子体をコイルバネの引張力をも手伝って上方へと容易に移動させる事が出来る。【００３４】  更に、一旦上方へ所定の距離移動した振り子体の他方側の下面部には、圧縮弾発可能な自由状態のコイルバネが設けられていることから、該コイルバネの他端部が筐体内の他方側の下部上面に当接することで、該コイルバネは瞬間的に圧縮弾発状態となって再び振り子体は、他方側のコイルバネの弾発力と一方側のコイルバネの引張力を介して再び上方へと極めて容易に移動することになるが、この時所定のタイミングで筐体内の他方側の下部上面に設けられた圧縮空気噴射口より所定圧の圧縮空気を振り子体の他方側の下面部に吹き付けることにより、前工程より更に高く振り子体を上方へ加速を伴うように移動させることが出来るという効果を有するが、例えば、圧縮空気噴射口が筐体内の一方側の上部下面に設けられていてもよく、この場合であっても前記一対のコイルバネを介して上方に移動してきた振り子体の一方側の上面部に圧縮空気を振吹き付けることで、重力を用いた自然落下の速度より更に早い速度で振り子体を下方に加速させつつ移動させることが出来るだけでなく振り子体の運動エネルギーそのものを増大させることが出来る。【００３５】  よって、本発明における発電機等の電力発生用動力源の構造によれば、始動時に圧縮空気噴射口から振り子体の他方側の下面部に圧縮空気を吹き付けるだけで、極めて容易に振り子体を一方側のコイルバネの引張力を介して上方へと移動させることが出来るだけでなく、上方へと移動した振り子体の弾発力と一方側のコイルバネの引張力の双方を介して再び振り子体を上方へと極めて容易に移動させることが可能となり、しいては振り子体を圧縮空気噴射口から発せられる圧縮空気を用いての必要最少の外力付加回数の数倍〜数十倍に達するように上下方向に繰り返し連続動作させることが可能となる。【００３６】  従って、必要最少の外力付加回数の数倍〜数十倍に達するように上下方向に繰り返し振り子体を連続動作させることで、該振り子体に設けられた往復動部材の往復動を介して所定の電力を発生する発電機の入力軸を効率よく回転させて発電効率を向上させることが出来るという効果を奏する。【００３７】  更に、上下方向に移動すると共に上死点に達する振り子体の一方側の上面部又は下死点に達する他方側の下面部の少なくとも何れか一方に、圧縮空気噴射口から圧縮空気を吹き付けることで、重力による振り子体の自然落下の速度より更に早い速度で振り子体を下方に加速を伴うように移動させて振り子体の運動エネルギーを増大させたり、又振り子体の上方への移動速度を加速を伴うように増加させることが可能となり、していは、振り子体を最大限の往復動距離（往復ピッチ）で、しかも所定時間内での往復動数を最大迄向上させて往復動部材の往復動数及び往復動距離（往復ピッチ）を増加させて極めて効率良く入力軸を回転させ、最大効率の電力を発電機を介して得ることが出来るという効果がある。【００３８】  更に、振り子体又は圧縮空気噴射口の少なくとも何れか一方に、圧縮空気洩れ防止部材が設けられ、しかも該圧縮空気洩れ防止部材が上下方向に往復動する振り子体との当接時に縮むと共に振り子体の離間時には元の状態に復元する構成にしてなる場合には、上下方向に移動すると共に上死点に達する振り子体の一方側の上面部又は下死点に達する他方側の下面部と圧縮空気噴射口との直接の当接衝撃を緩衝させつつ洩れなく効率よく圧縮空気を振り子体に吹き付けることが可能となり、しいては圧縮空気の気圧を高く設定する必要なく比較的低い気圧であっても上方又は下方へと移動する振り子体を効率良く加速させることが出来るという効果を奏する。【００３９】  更に、振り子体の一方側の上面部又は筐体内の一方側の上部下面の少なくとも何れが一方に、前記一対のコイルバネを介して上下方向に往復動する振り子体と当接することで該振り子体を他方側へと付勢させるための他方向側付勢部材が設けられた場合には、上死点に達した振り子体を瞬時に勢いよく、且つ付勢させつつ他方向に押し戻すことで、振り子体の運動エネルギーを爆発的に増大させ、結果として単位時間あたりの往復動部材の往復動数及び往復動距離（往復ピッチ）を増加させて極めて効率良く発電機の入力軸を回転させ、最大効率の電力を得ることが出来るという効果がある。【００４０】  又、筐体内の他方側の下部上面近傍に、前記一対のコイルバネを介して上下方向に往復動する振り子体の他方側の下面部に設けられた他方側のコイルバネの他端部と当接することで振り子体を一方側へと付勢させるための一方向側付勢部材が設けられた場合には、下死点に達した振り子体を瞬時に勢いよく、且つ付勢させつつ一方向に押し戻すことで、振り子体の運動エネルギーを爆発的に増大させ、結果として単位時間あたりの往復動部材の往復動数及び往復動距離（往復ピッチ）を増加させて極めて効率良く発電機の入力軸を回転させ、最大効率の電力を得ることが出来るという効��がある。【００４１】  更に、一方向側付勢部材が、スプリングバネ又はピアノ線である場合には、振り子体の他方側の下面部に設けられた他方側のコイルバネの他端部と当接時に適度な反力を容易且つ安価に得ることが出来、しいては製品コストを低減することが出来るという効果を奏する。【００４２】  更に、振り子体の質量が変更可能な構成にしてなる場合には、例えば、振り子体の上下方向への往復動と共に往復動する往復動部材の数量や該往復動部材の往復動を介して転動する入力軸を有した発電機を複数設けた場合における振り子体の運動バランスを調整して使用条件に適合させることが出来るという効果がある。【００４３】  又、振り子体の外周部又は筐体の少なくとも何れが一方に、前記一対のコイルバネを介して筐体内を上下方向に往復動する振り子体と該筐体との双方の接触箇所に生じる摩擦を低減する摩擦低減部材が設けられてなる場合には、振り子体の運動エネルギーに摩擦ロスを生じさせることなく効率よくスムーズに、しかも金属疲労等の不都合の発生を極力抑えた振り子体を介してスムーズに往復動部材を往復動させて最大効率の電力を発電機から得ることが出来るという効果を奏するが、かかる一対のコイルバネにおいて、一方側のコイルバネの伸率が他方側のコイルバネより大きく、且つ該他方側のコイルバネの弾性力が一方側のコイルバネより大きく設定された場合には、上下方向に移動する振り子体の運動エネルギーを増大させつつ最大限の往復動距離（往復ピッチ）を確保することが出来るという効果がある。【００４４】  更に、往復動部材にチェーンが用いられ、且つ該チェーンの一端が上下方向に往復動自在な振り子体に固着され、且つ他端側が該振り子体を収納する筐体の一方側の上方に設けられたスプロケットに歯合すると共に該筐体の他方側へと二つ折り状態で設けられ、しかも該チェーンの他端が、振り子体の往復動方向に沿って錘体案内ガイド部を形成するガイド部材の該錘体案内ガイド部に往復動自在に設けられた錘体に固着された場合には、チェーンを二つ折りにすることで筐体の全高をコンパクトにすることが可能となっただけでなく、振り子体の上下動と共に往復動を繰り返すチェーンに弛みを発生させることなく適度なテンションを錘体を介してチェーン全体に付加することで、スプロケットからチェーンが外れることを確実に防止することが出来るという効果を奏するが、かかる錘体に、筐体の他方側へと該錘体を常時引張状態で付勢する錘体引張部材を設けた場合には、前記同様チェーンに弛みを発生させることなく良好なテンションを錘体及び錘体引張部材の双方を介してチェーン全体に付加することで、スプロケットからチェーンが外れることを確実に防止することが出来るだけでなく、振り子体が上方へ移動する際における重力を介しての運動ロスを錘体引張部材の引張力を用いて低減させてよりスムーズに振り子体を上方へと移動させることが出来るという効果がある。【００４５】  更に、ガイド部材又は錘体の少なくとも何れか一方に、錘体案内ガイド部を往復動する錘体を介して起電力を発生させる起電力発生装置を設けた場合には、スプロケットからチェーンが外れることを確実に防止したり、振り子体が上方へ移動する際における重力���介しての運動ロスを低減させることが出来るガイド部材又は錘体を利用することで発電機以外に起電力を容易に得ることが可能となり、極めて高効率の電力を低コストで市場に提供することが出来るという効果がある。【００４６】  更に、振り子体を収納する筐体が被包体により被包され、且つ被包体内の温度が一定に保たれる場合には、振り子体を上下方向に往復動させるべく用いる一対のコイルバネに一般的な鋼材を用いると共に、連続的な伸縮動を行わせた場合でも、内部温度を一定に保つことで鋼材の分子構造が熱によって分解されるのを防ぐことが可能となり、しいてはコイルバネを長期間使用することが可能となり、しいては金属疲労等の劣化によるコイルバネの交換作業やコストのみならず不要なランニグコストをも削減することが出来るという効果を奏する。
【発明を実施するための最良の形態】
【００４７】  以下、本発明における発電機等の電力発生用動力源の構造の一実施形態を図面に従って説明する。
【実施形態１】
【００４８】  図１において、１は電力発生用動力源として用いられる振り子体を示し、かかる振り子体１は鋼製からなり、且つ正面視略矩形状の箱型に形成されている。
２は前記振り子体１の一方側１ａと他方側１ｂを上下方向に往復動自在に収納する筐体を示し、かかる筐体２は前記振り子体１の四面の側面周囲（外周部）を被うべく四枚の鉄板を平面視略矩形状（図示せず）に、且つ中空角柱状に形成したものである。
【００４９】  ３、４は前記筐体２内に収納され、且つ前記振り子体１の一方側１ａの上面部１ｃと他方側１ｂの下面部１ｄの夫々に対応すべく位置決めされた一対のコイルバネを示し、かかる一対のコイルバネ３、４において、一方側のコイルバネ３の伸率が他方側のコイルバネ４より大きく、且つ該他方側のコイルバネ４の弾性力が一方側のコイルバネ３より大きく設定されている。
【００５０】  尚、前記振り子体１の一方側１ａの上面部１ｃに対応すべく位置決めされた一方側のコイルバネ３の一端部３ａは、筐体２内の天井部を形成する一方側の上部下面２ａに固着され、且つ一方側のコイルバネ３の他端部３ｂは前記振り子体１の一方側１ａの上面部１ｃに固着されると共に、該振り子体１の一方側１ａは、前記一方側のコイルバネ３を縮む方向に付勢力を付加するように該コイルバネ３を引張状態とすべく筐体２内の一方側の上部下面２ａに重力の影響を受けるべく自重を介して往復動可能（矢印Ａ）に懸吊されている。
【００５１】  更に、前記振り子体１の他方側１ｂの下面部１ｄに対応すべく位置決めされた他方側のコイルバネ４の一端部４ａが振り子体１の他方側１ｂの下面部１ｄに固着されると共に、他方側のコイルバネ４の他端部４ｂが筐体２内の基台を形成する他方側の下部上面２ｂに固着されることなく圧縮弾発可能な自由状態で設けられてなり、しかも前記筐体２内の一方側の上部下面２ａ及び筐体２内の他方側の下部上面２ｂ上方位置には、前記一対のコイルバネ３、４を介して上下方向に往復動する振り子体１を上方及び下方へと加速させるための圧縮空気噴射口７が対向状態で設けられている。
【００５２】  更に、前記筐体２内の他方側の下部上面２ｂ上方位置に設けられた圧縮空気噴射口７には、圧縮空気噴射口７から発せられる圧縮空気を振り子体１の他方側１ｂの下面部１ｄに洩れなく吹き付け可能とする圧縮空気洩れ防止部材４Ａとしての蛇腹状パイプが設けられ、しかも該圧縮空気洩れ防止部材４Ａとしての蛇腹状パイプは上下方向に往復動する振り子体１の他方側１ｂの下面部１ｄとの当接時に縮むと共に振り子体１の離間時には元の状態に復元する機能を具備したものである。
【００５３】  更に、振り子体１の一方側１ａの上面部１ｃには、前記一対のコイルバネ３、４を介して上下方向に往復動する振り子体１が筐体２内の天井部を形成する一方側の上部下面２ａと当接することで該振り子体１を他方側へと付勢させるための他方向側付勢部材３Ａとしてのスプリングが振り子体１の四面の側面周囲に対応すべく４本立設されている。
【００５４】  又、筐体２内の他方側の下部上面２ｂの上方には、前記一対のコイルバネ３、４を介して上下方向に往復動する振り子体１の他方側１ｂの下面部１ｄに設けられた他方側のコイルバネ４の他端部４ｂと当接することで振り子体１を一方側へと付勢させるための一方向側付勢部材２Ｂとしての複数のピアノ線が前記コイルバネ４の他端部４ｂを受けることが可能な本数で張設されている。
【００５５】  尚、前記振り子体１の四面の側面周囲（外周部）には、前記一対のコイルバネ３、４を介して筐体（２）内を上下方向に往復動する振り子体１と該筐体２との双方の接触箇所に生じる摩擦を低減するための摩擦低減部材としてのローラー１２が一面の四隅に４個の計１６個設けられている。
【００５６】  更に、前記振り子体１の対峙する２面の夫々には、振り子体１の往復動と共に往復する往復動部材５としての鋼製のチェーンが設けられ、且つ該チェーンの一端５ａが上下方向に往復動自在な振り子体１に固着され、且つ他端側が該振り子体１を収納する筐体２の一方側の上方に設けられたスプロケット８に歯合すると共に該筐体２の他方側へと二つ折り状態で設けられてなり、しかも該チェーンの他端５ｂが、振り子体１の往復動方向に沿って錘体案内ガイド部９ａを形成するガイド部材９の該錘体案内ガイド部９ａに往復動自在（矢印Ｂ）に設けられた錘体１０に固着されている。
【００５７】  前記スプロケット８は往復動部材５としての鋼製のチェーンが、例えば、振り子体１が筐体２内の一方側から他方側へと下方向に移動した時の一方向への移動時のみにその回転動をラチェット機構１１を介して接続された大径プーリ８ａに伝え、その後大径プーリ８ａに歯車（図示せず）乃至Ｖベルト（図示せず）等の動力伝達手段を介して接続された発電機６の入力軸６ａを回転させることが出来るものである。
【００５８】  本発明の一実施形態における発電機等の電力発生用動力源の構造は上記構成からなり、よって、図２に示すように、始動時において、筐体２内の他方側の下部上面２ｂの上方位置に設けられた圧縮空気噴射口７より所定圧の圧縮空気を振り子体１の他方側１ｂの下面部１ｄに吹き付ける矢印Ｃことで、停止時に一方側のコイルバネ３を縮む方向に付勢力を付加するように該コイルバネ３を引張状態とすべく筐体２内の一方側の上部下面２ａに重力の影響を受けるべく自重を介して懸吊された振り子体１をコイルバネ３の引張力をも手伝って上方へと容易に移動（矢印Ｄ）させる事が出来る。
【００５９】  この時、振り子体１の他方側１ｂの下面部１ｄには、他端部４ｂが筐体２内の他方側の下部上面２ｂに固着されることなく圧縮弾発可能な自由状態のコイルバネ４の一端部４ａが固着されているにすぎず、よって上記の如くコイルバネ３の引張力を介して上方へ移動する振り子体１の移動に何ら不都合を生じさせることはない。
【００６０】  尚、上記の如く振り子体１が上方へ移動（矢印Ｄ）する場合において、振り子体１には往復動部材５としてのチェーンの一端５ａが固着され、且つ他端側が該振り子体１を収納する筐体２の一方側の上方に設けられたスプロケット８に歯合すると共に該筐体２の他方側へと二つ折り状態で設けられ、しかも該チェーンの他端５ｂが、振り子体１の往復動方向に沿って錘体案内ガイド部９ａを形成するガイド部材９の該錘体案内ガイド部９ａに往復動自在に設けられた錘体１０に固着されていることから、チェーン５を二つ折りにすることで筐体２の全高をコンパクトにすることが可能となっただけでなく、振り子体１の上下動と共に往復動を繰り返すチェーン５に弛みを発生させることなく適度なテンションを錘体案内ガイド部９ａを下方向に移動する（矢印Ｅ）錘体１０を介してチェーン５全体に付加することで、スプロケット８からチェーン５が外れることを確実に防止することが出来るという利点がある。
【００６１】  上記の如く、振り子体１が上方へ移動（矢印Ｄ）する場合において、スプロケット８は錘体１０の移動方向に沿うように移動する往復動部材５としての鋼製チェーンを介して回転（矢印Ｆ１）するが、ラチェット機構１１によりスプロケット８の回転は電動機６の入力軸６ａを回転させることはないが、次に振り子体１が下方へ移動した場合（図示せず）には、スプロケット８は往復動部材５としての鋼製のチェーンを介して逆方向に回転（矢印Ｆ２）することとなる。
【００６２】  よって、スプロケット８が逆方向に回転（矢印Ｆ２）すると、その回転動はラチェット機構１１を介して接続された大径プーリ８ａに伝わり、その後大径プーリ８ａに歯車（図示せず）乃至Ｖベルト（図示せず）等の動力伝達手段を介して接続された発電機６の入力軸６ａを回転（矢印Ｇ）させて電力を生じさせることが出来る。
【００６３】  更に、一旦上方へ所定の距離移動した振り子体１は、再度重力の影響を受けると共に自重を介して、図３（イ）のように、下方へ移動することになるが、この時振り子体１の他方側１ｂの下面部１ｄには、圧縮弾発可能な自由状態のコイルバネ４が設けられていることから、該コイルバネ４の他端部４ｂが筐体２内の他方側の下部上面２ｂの上方に張設された一方向側付勢部材２Ｂとしてのピアノ線に当接することで、該コイルバネ４は瞬間的に圧縮弾発状態となって再び振り子体１は、他方側のコイルバネ４の弾発力と一方側のコイルバネ３の引張力を介して再び上方へと極めて容易に移動することになる。
【００６４】  更に、上記の如く他方側のコイルバネ４の弾発力と一方側のコイルバネ３の引張力を介して再び上方へと振り子体１が移動する際に、所定のタイミングで筐体２内の他方側の下部上面２ｂに設けられた圧縮空気噴射口７より所定圧の圧縮空気を振り子体１の他方側１ｂの下面部１ｄに吹き付ける（矢印）ことにより、前工程より更に高く振り子体１を上方へ加速を伴うように移動（矢印Ｈ）させることが出来るが、例えば、圧縮空気噴射口７が、筐体２内の一方側の上部下面２ａ設けられていた場合であっても前記一対のコイルバネ３、４を介して上方に移動してきた振り子体（１）の一方側１ａの上面部１ｃに圧縮空気を振吹き付けることで、重力を用いた自然落下の速度より更に早い速度で振り子体１を下方に加速させつつ移動（矢印Ｉ）させることが出来るだけでなく振り子体１の運動エネルギーそのものを増大させることが出来る。
【００６５】  よって、本発明における発電機等の電力発生用動力源の構造によれば、上下方向に往復動可能な振り子体１の一方側１ａの上面部１ｃには、縮む方向に付勢力を付加する一方側のコイルバネ３が設けられ、且つ該振り子体１の他方側１ｂの下面部１ｄには、圧縮弾発可能で、しかも他端部４ｂを筐体２内の他方側の下部上面２ｂに固着することなく自由状態とする他方側のコイルバネ４の一端部４ａが固着されていることから、始動時に圧縮空気噴射口７から振り子体１の他方側１ｂの下面部１ｄに圧縮空気を吹き付けるだけで、極めて容易に振り子体１を一方側のコイルバネ３の引張力を介して上方へと移動させることが出来るだけでなく、上方へと移動した振り子体１が重力の影響を受けて下方へと自重を介して移動した場合には、他方側のコイルバネ４の弾発力と一方側のコイルバネ３の引張力の双方を介して再び振り子体１を上方へと極めて容易に移動させることが可能となり、しいては振り子体１を圧縮空気噴射口７から発せられる圧縮空気を用いての必要最少の外力付加回数の数倍〜数十倍に達するように上下方向に繰り返し連続動作させることが可能となる。
【００６６】  従って、必要最少の外力付加回数の数倍〜数十倍に達するように上下方向に繰り返し振り子体１を連続動作させることで、該振り子体１に設けられた往復動部材５の往復動を介して所定の電力を発生する発電機６の入力軸６ａを効率よく転動させて発電効率を向上させることが出来るという利点がある。
【００６７】  更に、上下方向に移動すると共に上死点に達する振り子体１の一方側１ａの上面部１ｃ又は下死点に達する他方側１ｂの下面部１ｄの少なくとも何れか一方に、圧縮空気噴射口（７）から圧縮空気を吹き付けることで、重力による振り子体１の自然落下の速度より更に早い速度で振り子体１を下方に加速を伴うように移動させて振り子体１の運動エネルギーを増大させたり、又振り子体１の上方への移動速度を加速を伴うように増加させることが可能となり、していは、振り子体１を最大限の往復動距離（往復ピッチ）で、しかも所定時間内での往復動数を最大迄向上させることが出来、結果として往復動部材５の往復動数及び往復動距離（往復ピッチ）を増加させて極めて効率良く入力軸６ａを転動させ、最大効率の電力を発電機６を介して得ることが出来るという利点がある。
【００６８】  更に、振り子体１又は圧縮空気噴射口７の少なくとも何れか一方に、圧縮空気噴射口７から発せられる圧縮空気を振り子体１の一方側１ａの上面部１ｃ又は他方側１ｂの下面部１ｄの少なくとも何れか一方に洩れなく吹き付け可能とする圧縮空気洩れ防止部材４Ａが設けられ、しかも該圧縮空気洩れ防止部材４Ａが上下方向に往復動する振り子体１との当接時に縮むと共に振り子体１の離間時には元の状態に復元する構成にしてなる場合には、上下方向に移動すると共に上死点に達する振り子体１の一方側１ａの上面部１ｃ又は下死点に達する他方側１ｂの下面部１ｄと圧縮空気噴射口７との直接の当接衝撃を緩衝させつつ洩れなく効率よく圧縮空気を振り子体１に吹き付けることが可能となり、しいては圧縮空気の気圧を高く設定する必要なく比較的低い気圧であっても上方又は下方へと移動する振り子体１を効率良く加速させることが出来るという利点がある。
【００６９】  更に、振り子体１の一方側１ａの上面部１ｃ又は筐体２内の一方側の上部下面２ａの少なくとも何れか一方に、前記一対のコイルバネ３、４を介して上下方向に往復動する振り子体１と当接することで該振り子体１を他方側へと付勢させるための他方向側付勢部材３Ａが設けられた場合には、上死点に達した振り子体１を瞬時に勢いよく、且つ付勢させつつ他方向に押し戻すことで、振り子体１の運動エネルギーを爆発的に増大させ、結果として単位時間あたりの往復動部材５の往復動数及び往復動距離（往復ピッチ）を増加させて極めて効率良く発電機６の入力軸６ａを回転させ、最大効率の電力を得ることが出来るという利点がある。
【００７０】  又、筐体２内の他方側の下部上面２ｂ近傍に、前記一対のコイルバネ３、４を介して上下方向に往復動する振り子体１の他方側１ｂの下面部１ｄに設けられた他方側のコイルバネ４の他端部４ｂと当接することで振り子体１を一方側へと付勢させるための一方向側付勢部材２Ｂが設けられた場合には、下死点に達した振り子体１を瞬時に勢いよく、且つ付勢させつつ一方向に押し戻すことで、振り子体１の運動エネルギーを爆発的に増大させ、結果として単位時間あたりの往復動部材５の往復動数及び往復動距離（往復ピッチ）を増加させて極めて効率良く発電機６の入力軸６ａを回転させ、最大効率の電力を得ることが出来るという利点がある。
【００７１】  更に、一方向側付勢部材２Ｂが、スプリングバネ又はピアノ線である場合には、振り子体１の他方側１ｂの下面部１ｄに設けられた他方側のコイルバネ４の他端部４ｂと当接時に適度な反力を容易且つ安価に得ることが出来、しいては製品コストを低減することが出来るという利点がある。
【００７２】  又、振り子体１の外周部１ｅ又は筐体２の少なくとも何れか一方に、前記一対のコイルバネ３、４を介して筐体２内を上下方向に往復動する振り子体１と該筐体２との双方の接触箇所に生じる摩擦を低減する摩擦低減部材１２が設けられてなる場合には、振り子体１の運動エネルギーに摩擦ロスを生じさせることなく効率よくスムーズに、しかも金属疲労等の不都合の発生を極力抑えた振り子体１を介してスムーズに往復動部材５を往復動させて最大効率の電力を発電機６から得ることが出来るという利点がある。
【００７３】  更に、一対のコイルバネ３、４において、一方側のコイルバネ３の伸率が他方側のコイルバネ４より大きく、且つ該他方側のコイルバネ４の弾性力が一方側のコイルバネ３より大きく設定された構成にしてなる場合には、上下方向に移動する振り子体１の運動エネルギーを増大させつつ最大限の往復動距離（往復ピッチ）を確保することが出来るという利点がある。
【００７４】  更に、往復動部材５にチェーンが用いられ、且つ該チェーンの一端５ａが上下方向に往復動自在な振り子体１に固着され、且つ他端側が該振り子体１を収納する筐体２の一方側の上方に設けられたスプロケット８に歯合すると共に該筐体２の他方側へと二つ折り状態で設けられてなり、しかも該チェーンの他端５ｂが、振り子体１の往復動方向に沿って錘体案内ガイド部９ａを形成するガイド部材９の該錘体案内ガイド部９ａに往復動自在に設けられた錘体１０に固着された場合には、チェーン５を二つ折りにすることで筐体２の全高をコンパクトにすることが可能となっただけでなく、振り子体１の上下動と共に往復動を繰り返すチェーン５に弛みを発生させることなく適度なテンションを錘体１０を介してチェーン５全体に付加することで、スプロケット８からチェーン５が外れることを確実に防止することが出来るという利点がある。
【実施形態２】
【００７５】  図４において、振り子体１に開閉扉１ｆを設け内部に錘を収納可能とすることで、振り子体１の質量を変更可能としてもよく、この場合には、例えば、振り子体１の上下方向への往復動と共に往復動する往復動部材５の数量や該往復動部材５の往復動を介して転動する入力軸６ａを有した発電機６を複数設けた場合における振り子体１の運動バランスを調整して使用条件に適合させることが出来るという利点がある。
【００７６】  更に、図４において、ガイド部材９に設けられた錘体１０に、筐体２の他方側へと該錘体１０を常時引張状態で付勢するスプリング等の錘体引張部材１３を設けてもよく、この場合には、前記同様振り子体１の上下動と共に往復動を繰り返すチェーン５に弛みを発生させることなく良好なテンションを錘体１０及び錘体引張部材１３の双方を介してチェーン５全体に付加することで、スプロケット８からチェーン５が外れることを確実に防止することが出来るというだけでなく、振り子体１が上方へ移動する際における重力を介しての運動ロスを錘体引張部材１３の引張力を用いて低減させてよりスムーズに振り子体１を上方へと移動させることが出来るという利点がある。
【実施形態３】
【００７７】  更に、図５に示すように、ガイド部材９又は錘体１０の少なくとも何れか一方に、錘体案内ガイド部９ａを往復動する錘体１０を介して起電力を発生させる起電力発生装置１４が設けられた場合には、スプロケット８からチェーン５が外れることを確実に防止したり、振り子体１が上方へ移動する際における重力を介しての運動ロスを低減させることが出来るガイド部材９又は錘体１０を利用することで発電機６以外に起電力を容易に得ることが可能となり、極めて高効率の電力を低コストで提供することが出来るという利点がある。
尚、かかる起電力発生装置１４は、前記錘体１０に取付けられ、且つ樹脂製中空のガイド部材９の内周面に環状に並設され且つガイド部材９の上下方向に複数段を形成するように多段に位置決めされた多数の磁石９ｂと前記錘体案内ガイド部９ａ内に往復動自在に収納され、且つ外周にプラス線１５ａとマイナス線１５ｂを巻回した所定長の銅管１５からなるものであり錘体１０の移動を介して極めて効率よく起電力を得ることが出来るという利点がある。
【実施形態４】
【００７８】  図６に示すように、振り子体１を収納する筐体２を樹脂から形成された被包体１６により被包され、且つ被包体１６内の温度を吸気口１６ａ及び排気口１６ｂ夫々を介して一定に保つ場合には、振り子体１を上下方向に往復動させるべく用いる一対のコイルバネ３、４に一般的な鋼材を用いると共に、連続的な伸縮動を行わせた場合でも、内部温度を一定に保つことで鋼材の分子構造が熱によって分解されるのを防ぐことが可能となり、しいてはコイルバネ３、４を長期間使用することが可能となり、しいては金属疲労等の劣化によるコイルバネ３、４の交換作業やコストのみならず不要なランニグコストをも削減することが出来るという利点があるが、内部温度を１０度以下に保つことで、鋼材の分子構造の分解をより確実に防止することが出来るという格別な利点がある。
【００７９】  而して、本発明における発電機等の電力発生用動力源の構造において、各部を形成する部材の形状、構造，組み合わせ及び材質等は本発明の意図する範囲内で任意に設計変更自在であるのは言う迄もない。
【産業上の利用可能性】
【００８０】  本発明は、公害を一切発生させることなく僅かな圧縮空気を始動時及び所定の頻度で用いるだけで振り子体の運動エネルギーを爆発的に増大させ、結果として単位時間あたりの往復動部材の往復動数及び往復動距離（往復ピッチ）を増加させて極めて効率良く発電機の入力軸を転動させて最大効率の電力を容易に得ることが可能な発電機等の電力発生用動力源の構造に関するものである。
【図面の簡単な説明】
【００８１】
【図１】本発明における発電機等の電力発生用動力源の構造の一実施形態を示す全体構成説明図。
【図２】一実施形態における発電機等の電力発生用動力源の構造の動作状態を示す説明図。
【図３】一実施形態における発電機等の電力発生用動力源の構造の動作状態を示し、同図（イ）、（ロ）は要部拡大図。
【図４】本発明における発電機等の電力発生用動力源の構造の他の実施形態を示す全体構成説明図。
【図５】本発明における発電機等の電力発生用動力源の構造の他の実施形態を示し、同図（イ）は要部拡大図、（ロ）は（イ）のＪ−Ｊ線拡大断面図。
【図６】本発明における発電機等の電力発生用動力源の構造の他の実施形態を示す全体構成説明図。
【図７】従来の発電機等の電力発生用動力源の構造の一実施形態を示す全体構成説明図。
【符号の説明】
【００８２】１…振り子体
２…筐体
３…一方側のコイルバネ
４…他方側のコイルバネ
５…往復動部材
６…発電機
７…圧縮空気噴射口
８…スプロケット
９…ガイド部材
【図１】
2006009573.tif 000003
【図２】
2006009573.tif 000004
【図３】
2006009573.tif 000005
【図４】
2006009573.tif 000006
【図５】
2006009573.tif 000007
【図６】
2006009573.tif 000008
【図７】
2006009573.tif 000009